(57)【特許請求の範囲】
【請求項１】
浴室の入口ドア側に隣接された脱衣室を暖房し得る温風器であって、該温風器は、前記入口ドアのドア枠上面に固定される取付部材に取り付けられて、前面側より吸気し、前記入口ドアの上部から下方向に温風を吹き出すように構成されてなり、
前記取付部材は、温風器を直接取付け可能な板材で構成されて、温風器の配線を裏側に引き出すことのできる開口が形成されていることを特徴とする脱衣室温風器。
【請求項２】
前記取付部材を、前記浴室の壁面または天井に固定したことを特徴とする請求項１に記載の脱衣室温風器。
【請求項３】
前記浴室の壁面または天井に固定する部材が、ネジによる長さ調整可能な部材で構成されていることを特徴とする請求項２に記載の脱衣室温風器。
【発明の詳細な説明】
【０００１】
【産業上の利用分野】
この発明は、脱衣室を暖房し得る脱衣室温風器に関するものである。
【０００２】
【従来の技術及びその課題】
従来、脱衣室を暖房するために、脱衣室の天井に、脱衣室全体を暖房する温風器を取り付けたものが存在するが、脱衣室の広さは様々であり、温風器のヒーター容量の最適化が困難であるという問題点があった。
また、温風器を設置する工事が、ユニットバスとは異なる脱衣室での取付工事であるため、工事が別の業者によって行われることとなり、工事責任の明確化が難しくなっていた。
また、ユニットバスの施工業者の工事範囲内で脱衣室用の暖房器を設置するためには、ユニットバスの入口に温風器を設けることとなるが、その場合、ユニットバスのドア枠内に温風器を設けると、温風器の大きさ分、ユニットバスの入口が狭くなってしまい、使い勝手が悪くなってしまうという問題点があった。
【０００３】
【課題を解決するための手段】
本発明は上記従来の問題点に鑑み案出したものであって、ユニットバスの工事の範囲内で脱衣室用の温風器を取り付けることができ、しかもユニットバスの入口が狭くならない脱衣室温風器を提供せんことを目的とし、その第１の要旨は、浴室の入口ドア側に隣接された脱衣室を暖房し得る温風器であって、該温風器は、前記入口ドアのドア枠上面に固定される取付部材に取り付けられて、前面側より吸気し、前記入口ドアの上部から下方向に温風を吹き出すように構成されてなり、前記取付部材は、温風器を直接取付け可能な板材で構成されて、温風器の配線を裏側に引き出すことのできる開口が形成されていることである。
また、第２の要旨は、前記取付部材を、前記浴室の壁面または天井に固定したことである。
また、第３の要旨は、前記浴室の壁面または天井に固定する部材が、ネジによる長さ調整可能な部材で構成されていることである。
【０００４】
【実施例】
以下、本発明の実施例を図面に基づいて説明する。
図１は、第１実施例の脱衣室を暖房し得る温風器の設置構造の構成部材の分解斜視図であり、ユニットバス１は、その天井面裏側に、浴室内を暖房し得る浴室暖房器２が設置されており、また換気扇３が設置され、これらを電気的に接続するジョイントボックス４が天井面に配置されたものとなっており、また、ユニットバス１の入口ドア５は図１では折り戸で構成されており、この折り戸５は、枠状のドア枠６内に取り付けられたものとなっており、本例では、ドア枠６の上部に専用の取付枠７が取り付けられて、この取付枠７の前面、即ちユニットバス１に隣接される脱衣室側に、取付枠７に収められて取付板８が取り付けられ、この取付板８に固定された支持金具９，９に、温風器１０が取り付けられるものである。
【０００５】
温風器１０は、図４に示すような外観形状に形成されており、ユニットバス１の入口ドア５の上方に設置されることとなり、温風器１０の下面には、横長状に幅の広い吹出口１０ａが形成されて、ユニットバス１の入口ドア５に沿って下方側へ温風を吹き出すように構成され、入口ドア５の付近で衣服を脱いでユニットバス１内に入ることが多いため、この入口ドア５の付近で幅広い範囲で温風を下方に吹き出して、脱衣中の使用者の足元まで幅広く暖房できるように構成されており、温風器１０は、前面、即ち脱衣室側に吸気孔１０ｂが形成されており、吹出口１０ａから下方へ向かう吹出流と、吸気孔１０ｂから吸い込まれる脱衣室内の空気の流れにより、ユニットバスの入口ドア５の付近で局所的に暖房流の対流が生じるように構成され、脱衣室の大きさに左右されることなく良好に入口ドア５の付近を暖房できるように構成されている。
【０００６】
なお、図２は、ユニットバス１のドア枠６の上部に、ネジ１４，１４で取付枠７を固定した正面構成図であり、取付枠７には予めビス孔７ａ，７ａ，７ａが所定位置に開口されており、このビス孔７ａにビス１３を入れて、取付枠７の上面に、木枠の天板１１ｂをビス１３で固定できるものであり、また、取付枠７の側面及びドア枠６の側面側には、それぞれ左右側より、木枠の側板１１ａ，１１ａがビス１３で固定されるものである。
【０００７】
また、図３は、温風器１０を取り付けた状態のドア枠６付近の断面拡大構成図であり、取付枠７の前面に、化粧板で構成される取付板８を取り付けて、脱衣室側をスッキリとした状態に見せることができ、取付板８に固定された支持金具９に温風器１０を取り付けることができ、取付枠７の裏側には取付金具１５を固定して、この取付金具１５を、ユニットバス１の壁面１ａに強固に固定することができるものであり、木枠の天板１１ｂが取付枠７の上面に取り付けられて、この木枠の天板１１ｂの前端上に、脱衣室を形成する脱衣室壁１６ａが立設され、脱衣室壁１６ａの上端に脱衣室の天井１６ｂが設けられるものである。
【０００８】
なお、図１４では、従来のユニットバスのドア付近の正面図を示し、また図１５では、従来の側面断面図を示して比較すると、本例のものでは、従来と同様な高さ及び幅寸法のドア枠６を用いて、その上部に、専用の取付枠７を設けて、温風器１０が取り付けられるものであり、取付枠７及び取付板８及び支持金具９のみを別途用意しておけば、従来と同様なユニットバスの構成部材を用いて、温風器１０を設置することができるものとなり、コストを低減させることができるものである。しかも、ドア枠６の上下寸法は従来のものと同一であるため、ユニットバス１内への出入りが妨げられることがなく、使用勝手は良好なものである。
なお、取付板８は現場で適宜切断して、現場に対応させることができ、脱衣室側から取付枠７を良好に隠蔽させてスッキリとした状態で温風器１０を設置することができるものである。
【０００９】
なお、温風器１０は、ユニットバス１側の浴室暖房器２及び換気扇３と連動して動作可能なように電気的に接続されており、浴室暖房器２及び換気扇３を操作可能なリモコン１２によって、この温風器１０も連動させて操作できるように構成されている。即ち、リモコン１２は、ユニットバス１のドア枠６付近の脱衣室側に設置されており、図５に示すようなスイッチを備えて構成されている。
【００１０】
リモコン１２には、換気スイッチ２１，暖房スイッチ２２，洗面所（脱衣室）スイッチ２３，乾燥スイッチ２４，時間設定スイッチ２５，停止スイッチ２６が設けられており、前記洗面所スイッチ２３を１回押すと、涼風のランプが点灯して、温風器１０から涼風が脱衣室内に吹き出されるものであり、再度、洗面所スイッチ２３を押すと、温風が脱衣室内に吹き出されるものであり、この時には温風ランプが点灯される。さらに再度、洗面所スイッチ２３を押すと、涼風ランプに切り換えられ、洗面所スイッチ２３を押す度に、順次、涼風，温風，涼風，温風と切り換えられるように構成されている。なお、この場合、浴室暖房器２内のファン，ヒーターはＯＦＦ状態で、換気扇３もＯＦＦ状態となる。
【００１１】
次に、暖房スイッチ２２を１回目に押すと、(1) の制御モードとなる。即ち、浴室暖房器２内のファンが強く回転され、浴室暖房器２内のヒーターがＯＮされ（またはＯＮ，ＯＦＦを繰り返す）、温風器１０内のヒーターおよびファンはＯＮ状態（またはＯＮ，ＯＦＦを繰り返す）となり、換気扇３はＯＦＦ状態となる。これにより浴室１内と同時に脱衣室内に温風が吹き出されて、同時に浴室１と脱衣室が暖房されることとなる。
【００１２】
次に、もう一度暖房スイッチ２２を押すと、(2) の制御モードに切り換わる。即ち入浴前モードとなり、浴室暖房器２内のファンは強く回転され、浴室暖房器２内のヒーターはＯＮされ、温風器１０内のヒーターおよびファンはＯＦＦ状態で、換気扇３もＯＦＦ状態となる。この状態では、浴室１内のみに温風が強く吹き出されて、浴室１に入る前に強力に浴室１内が暖房されるものである。
【００１３】
次に、再度、暖房スイッチ２２を押すと、(3) の制御モード、即ち、入浴中モードに切り換えられ、この場合は、浴室暖房器２内のファンは弱く回転し、浴室暖房器２内のヒーターへの通電量が少なくされることとなり、浴室１内に弱い温風が吹き出される。即ち、入浴中においては、強い風が身体に当たると冷たく感じるために、弱い温風により入浴中に冷たさを感じさせないように制御するのである。
なお、さらに再度、暖房スイッチ２２を押すと、前記(1) の制御モードに変わり、繰り返し押すことにより、順次、(1) の制御モードから(2) の制御モード、さらに(3) の制御モードから(1) の制御モードに切り換えられるものとなっている。
【００１４】
このように脱衣室内と浴室１を個別に暖房することも、また、同時に暖房することも可能な制御構成となっており、暖房スイッチ２２において、浴室１と脱衣室を同時に暖房可能であり、使い勝手が向上したものとなる。
【００１５】
なお、乾燥スイッチ２４は、押す度に、涼風と温風に切り換わる。即ち、浴室暖房器２内のファンは何れの場合も強く回転されるが、浴室暖房器２内のヒーターは、温風モードの場合のみＯＮ状態となる。なお、何れの場合にも、温風器１０内のヒーターおよびファンはＯＦＦ状態で、換気扇３がＯＮ状態となる。
また、換気スイッチ２１が押された時には、換気扇３のみがＯＮ状態となり、浴室暖房器２，温風器１０はＯＦＦ状態となる。
【００１６】
次に、図６は、温風器１０の設置構造の第２実施例を示すものであり、図７は、脱衣室側から見た正面構成図であり、また図８は、断面構成図である。
本例では、ユニットバス１の入口ドア５は３枚開きドアで構成されており、従って、ドア枠６も広いものであり、このドア枠６の上部に取り付けられる取付枠は、第１取付枠７１と、第２取付枠７２の２個で構成されており、それぞれの取付枠７１，７２には、複数のビス孔７ａ，７ａが予め形成されており、それぞれのビス孔７ａ内にビス１３を入れて、その第１取付枠７１及び第２取付枠７２の上面に、木枠の天板１１ｂを固定状に取り付けることができ、また、両サイドには木枠の側板１１ａ，１１ａを取付固定できるように構成されている。
【００１７】
なお、第１取付枠７１と第２取付枠７２間には、適宜隙間を形成させて、左右の両端側のみに、この取付枠７１，７２が配置されれば良く、その前面、即ち脱衣室側には、横長状の取付板８を被せて隙間を隠蔽させることができ、取付板８は化粧板で構成されて、現場で適宜切断して寸法調整することができ、スッキリとした状態で取付枠７１，７２を脱衣室側から隠すことができるものである。この取付板８に固定されている支持金具９，９に、第１実施例と同様な温風器１０を取り付けることができる。
【００１８】
なお、図８に示すように、本例では、三角形状の取付金具１７を取付枠７の後面に固定して、この取付金具１７をユニットバス１の天井１ｂに固定して設置したものである。その他の構成は、前記第１実施例とほぼ同様なものである。
【００１９】
次に、図９〜図１３は、設置構造の第３実施例を示すものであり、本例では、前記取付枠７と取付板８を板材２０に変更したものであり、この板材２０は合板を裏張りして構成したものであっても、また、ムクの木材で形成したものであっても良く、板材２０には温風器の配線を裏側へ引き出すことのできる配線用の開口２０ａが形成されたものとなっており、この板材２０は、ユニットバス１の天井１ｂとの間にターンバックル２１を介在させて、このターンバックル２１により固定でき、しかも板材２０の垂直状態を良好にターンバックル２１で調整できるように構成したものであり、ターンバックル２１は、左右両側からネジ部２１ａ，２１ａが螺合されており、このネジ部２１ａ，２１ａを螺進退させて長さ調整できるものであり、各ネジ部２１ａの他端側にはフック部２１ｂ，２１ｂが形成されて、それぞれ固定金具２２及び２３に引っ掛け状に連結されたものとなっており、固定金具２２は板材２０にビス等で固定しておくことができ、また、固定金具２３はユニットバス１の天井１ｂ裏に接着とかネジ止め等で固定しておくことができるものである。
【００２０】
なお、図１０の縦断面構成図で示すように、ユニットバス１の天井１ｂの高さが高いタイプの場合には、ターンバックル２１をほぼ水平状に配置させて板材２０を固定することができるが、ユニットバス１の天井１ｂの高さが低いタイプの場合には、図１０の想像線で示すように、ターンバックル２１の角度を変えて、傾斜状にターンバックル２１を配置して板材２０を支持することができるものとなる。
従って、ユニットバス１の天井１ｂの高さの異なるタイプにおいても、ターンバックル２１で調整して板材２０を固定支持することが容易なものとなる。
【００２１】
図１１は平面構成図を示すものであり、ターンバックル２１は固定金具２３を用いる他、図１１のように端部を壁面１ａの上端にビス止めして用いることもできるものである。
【００２２】
なお、その他、図１２の平面図で示すように、ユニットバス１のドア枠６の配置位置の異なるタイプにおいても、良好にターンバックル２１，２１を用いて板材２０を固定して良好に設置することができ、板材２０に直接温風器１０を支持金具９，９等を介して取り付けることができ、コストを低減させ、施工工数を少なくして容易に温風器を取り付けることが可能となる。
なお、図１２のように、天井１ｂを構成するパネルの繋ぎ部１ｄにビスを効かせて強固にターンバックル２１を取り付けることができるものであり、また、壁面１ａの上端にビスを効かして強固にターンバックル２１を取り付けることができるものである。
【００２３】
なお、図１３は、ドーム型天井の場合の平面図であり、ドーム型天井１ｂでは天井裏に補強材１ｅが設けられているため、この補強材１ｅにターンバックル２１の先端をビス止め等して強固に取り付けることができるものとなる。
【００２４】
【発明の効果】
本発明は、浴室の入口ドア側に隣接された脱衣室を暖房し得る温風器であって、該温風器は、前記入口ドアのドア枠上面に固定される取付部材に取り付けられて、前面側より吸気し、前記入口ドアの上部から下方向に温風を吹き出すように構成されてなり、前記取付部材は、温風器を直接取付け可能な板材で構成されて、温風器の配線を裏側に引き出すことのできる開口が形成されていることにより、ドア枠内に支障を与えず、ドア枠上部に温風器を良好に設置することができるものとなり、浴室内への入口が狭くなることもなく、従来のドア枠等を有効に利用し、専用の取付部材のみを用意すれば、良好に脱衣室用温風器の設置が可能となる。
また、取付部材が板材で構成されていることにより、板材のみでコストを抑えて、施工工数を低減させて、板材に直接温風器を取り付けることができるものとなる。
また、温風器の配線を裏側に引き出すことのできる開口が形成されていることにより、温風器からの電源コードや壁に埋め込むスイッチコードを脱衣室の壁の裏に開口を通して良好に配線することができ、納まり良く配線が可能となり、スッキリとした設置状態が得られる効果を有する。
また、温風器は、浴室の入口上部から下方に向かって、温風を使用者の足元まで良好に吹き出させて暖房することができるものとなる。
また、温風器は、前面側より吸気するため、浴室の入口付近でエアサイクルが形成されて、入口ドア付近を局所的に暖房することが可能となり、脱衣室の大きさに左右されにくく、脱衣することが多いドア付近を有効に暖房することが可能となる。
【００２５】
また、前記取付部材を、前記浴室の壁面または天井に固定したことにより、浴室の工事範囲内で温風器を取り付けることができ、責任区分が明確になる効果を有する。
【００２６】
また、前記浴室の壁面または天井に固定する部材が、ネジによる長さ調整可能な部材で構成されていることにより、板材等の垂直出しの調整が可能なものとなる。
【図面の簡単な説明】
【図１】  第１実施例の脱衣室温風器の取付構造の分解斜視図である。
【図２】  図１におけるドア枠付近の正面構成図である。
【図３】  図２の側面断面構成図である。
【図４】  温風器の斜視構成図である。
【図５】  リモコンの正面構成図である。
【図６】  第２実施例の取付構造を示す分解斜視図である。
【図７】  図６におけるドア枠付近の正面構成図である。
【図８】  図７の側面断面構成図である。
【図９】  板材をターンバックルで固定した状態の斜視構成図である。
【図１０】  天井高さの異なる場合のターンバックルの配置構成図である。
【図１１】  ターンバックルと板材を用いた場合の天井裏の平面構成図である。
【図１２】  取付位置を変更できる構成を示す天井裏の平面構成図である。
【図１３】  ドーム型天井に対するターンバックルの配置構成を示す平面構成図である。
【図１４】  従来のドア枠付近の正面構成図である。
【図１５】  図１４の側面断面構成図である。
【符号の説明】
１  ユニットバス
１ａ  壁面
１ｂ  天井
１ｄ  繋ぎ部
１ｅ  補強材
２  浴室暖房器
３  換気扇
５  入口ドア
６  ドア枠
７  取付枠
７ａ  ビス孔
８  取付板
９  支持金具
１０  温風器
１０ａ  吹出口
１０ｂ  吸気孔
１１ａ  木枠の側板
１１ｂ  木枠の天板
１２  リモコン
１３  ビス
１４  ネジ
１５，１７  取付金具
２０  板材
２０ａ  開口
２１  ターンバックル
２１ａ  ネジ部
２１ｂ  フック部
２２，２３  固定金具
７１  第１取付枠
７２  第２取付枠
【図１】
0003682646.tif 000002
【図２】
0003682646.tif 000003
【図３】
0003682646.tif 000004
【図４】
0003682646.tif 000005
【図５】
0003682646.tif 000006
【図６】
0003682646.tif 000007
【図７】
0003682646.tif 000008
【図８】
0003682646.tif 000009
【図９】
0003682646.tif 000010
【図１０】
0003682646.tif 000011
【図１１】
0003682646.tif 000012
【図１２】
0003682646.tif 000013
【図１３】
0003682646.tif 000014
【図１４】
0003682646.tif 000015
【図１５】
0003682646.tif 000016